(57)【要約】【課題】拡底部で杭の支持力を得るとともに、上層が軟弱で下層が支持力を有する地盤でも、上層の地盤での横方向の荷重と変位に耐え、しかも低コストで施工することができる支持地盤における基礎杭構造を提供すること。【解決手段】拡底部１１を有する杭穴１に既製杭２を埋設する支持地盤における基礎杭構造において、拡底部１１に埋設される下部杭２１として既製の節付きコンクリート杭を配設するとともに、下部杭２１の上部に連結される中間杭２２として既製の円筒コンクリート杭を配設し、中間杭２２の上部に連結される上部杭２３として円筒コンクリート杭と略同径で、円筒コンクリート杭より曲げ剛性の大きな既製円筒杭を配設する。【選択図】　図１
2004124452.tif 000002
【特許請求の範囲】
【請求項１】
拡底部を有する杭孔に既製杭を埋設する支持地盤における基礎杭構造において、拡底部に埋設される下部杭として既製の節付きコンクリート杭を配設するとともに、下部杭の上部に連結される中間杭として既製の円筒コンクリート杭を配設し、中間杭の上部に連結される上部杭として前記円筒コンクリート杭と略同径で、該円筒コンクリート杭より曲げ剛性の大きな既製円筒杭を配設したことを特徴とする支持地盤における基礎杭構造。
【請求項２】
中間杭として下部の節付きコンクリート杭の軸部と略同径の既製の円筒コンクリート杭を配設したことを特徴とする請求項１記載の支持地盤における基礎杭構造。
【請求項３】
中間杭として下部の節付きコンクリート杭の節部と略同径の既製の円筒コンクリート杭を配設したことを特徴とする請求項１記載の支持地盤における基礎杭構造。
【請求項４】
杭孔と杭の隙間に膨張・固化性を有するスラグを充填し、該スラグを膨張させながら固化させたことを特徴とする請求項１、２又は３記載の支持地盤における基礎杭構造。
【請求項５】
拡底部の下部に根固め用スラグを投入し、該根固め用スラグの上に前記節付きコンクリート杭を建てたことを特徴とする請求項１、２、３又は４記載の支持地盤における基礎杭構造。
【請求項６】
根固め用スラグとして、固化剤を添加した膨張・固化性を有するスラグを用いたことを特徴とする請求項５記載の支持地盤における基礎杭構造。
【請求項７】
膨張・固化性を有するスラグが、製鋼スラグ、ゴミ焼却スラグ、汚泥スラグの１種若しくは２種以上の混合物からなることを特徴とする請求項４、５又は６記載の支持地盤における基礎杭構造。
【請求項８】
膨張・固化性を有するスラグに、膨張性を消失した製鋼スラグ、高炉スラグ、フェロアロイスラグ、水砕スラグ、銅製錬スラグ、赤泥、フライアッシュ、ゴミ焼却灰、ガラス破砕物、廃石膏、コンクリート廃材等の産業廃棄物、石膏、生石灰、セメント、砕石、土砂、粘土等の建築用材料、人工材料、鉱物の１種若しくは２種以上を混合した、膨張・固化性を有するスラグの膨張・固化性を利用できるものであることを特徴とする請求項４、５、６又は７記載の支持地盤における基礎杭構造。
【請求項９】
杭孔の拡底部を、前記節付きコンクリート杭の略全長に亘る深さに掘削したことを特徴とする請求項１、２、３、４、５、６、７又は８記載の支持地盤における基礎杭構造。
【請求項１０】
中間杭が上載荷重を支持する必要耐力を有し、かつ上部杭よりも曲げ剛性が小さくなるようにしたことを特徴とする請求項１、２、３、４、５、６、７、８又は９記載の支持地盤における基礎杭構造。
【請求項１１】
拡底部を有する杭孔に既製杭を埋設する支持地盤における基礎杭の施工法において、拡底部に埋設される下部杭として既製の節付きコンクリート杭を配設するとともに、下部杭の上部に連結される中間杭として既製の円筒コンクリート杭を配設し、中間杭の上部に連結される上部杭として前記円筒コンクリート杭と略同径で、該円筒コンクリート杭より曲げ剛性の大きな既製円筒杭を配設することを特徴とする支持地盤における基礎杭の施工法。
【請求項１２】
杭孔と杭の隙間に膨張・固化性を有するスラグを充填し、該スラグを膨張させながら固化させることを特徴とする請求項１１記載の支持地盤における基礎杭の施工法。
【請求項１３】
拡底部の下部に根固め用スラグを投入し、該根固め用スラグの上に前記節付きコンクリート杭を建てることを特徴とする請求項１１又は１２記載の支持地盤における基礎杭の施工法。
【請求項１４】
根固め用スラグとして、固化剤を添加した膨張・固化性を有するスラグを用いることを特徴とする請求項１３記載の支持地盤における基礎杭の施工法。
【請求項１５】
膨張・固化性を有するスラグが、製鋼スラグ、ゴミ焼却スラグ、汚泥スラグの１種若しくは２種以上の混合物からなることを特徴とする請求項１２、１３又は１４記載の支持地盤における基礎杭の施工法。
【請求項１６】
膨張・固化性を有するスラグに、膨張性を消失した製鋼スラグ、高炉スラグ、フェロアロイスラグ、水砕スラグ、銅製錬スラグ、赤泥、フライアッシュ、ゴミ焼却灰、ガラス破砕物、廃石膏、コンクリート廃材等の産業廃棄物、石膏、生石灰、セメント、砕石、土砂、粘土等の建築用材料、人工材料、鉱物の１種若しくは２種以上を混合した、膨張・固化性を有するスラグの膨張・固化性を利用できるものであることを特徴とする請求項１２、１３、１４又は１５記載の支持地盤における基礎杭の施工法。
【請求項１７】
杭孔の拡底部を、前記節付きコンクリート杭の略全長に亘る深さに掘削することを特徴とする請求項１１、１２、１３、１４、１５又は１６記載の支持地盤における基礎杭の施工法。
【請求項１８】
中間杭が上載荷重を支持する必要耐力を有し、かつ上部杭よりも曲げ剛性が小さくなるようにしたことを特徴とする請求項８、９、１０、１１、１２、１３、１４、１５、１６又は１７記載の支持地盤における基礎杭の施工法。
【発明の詳細な説明】
【０００１】
【発明の属する技術分野】
本発明は、支持力を得る支持層に拡底部を有する杭孔を掘削し、該杭孔に既製杭を埋設する支持地盤における基礎杭構造及び基礎杭の施工法に関するものである。
【０００２】
【従来の技術】
従来より、杭の支持力及び引き抜き抵抗を増加させるための手段として、杭の下端に拡底部を設ける拡底杭が広く知られている。
この場合、拡底杭としては、現場打ち杭の下端に拡底部を設けるものと、既製杭の下端に拡底部を設けるものとがあり、いずれも予め杭孔の底部に杭径よりも大径な拡底部を掘削しておき、この拡底部内にコンクリートを打設して拡底杭とする。
既製杭による拡底杭としては、既製杭の埋設前又は埋設後に、杭孔内にセメントミルクを注入し固化させる方法が一般によく知られており、また、杭の外周に節を設けた節杭も使用されている。
【０００３】
【発明が解決しようとする課題】
しかしながら、上記従来の支持地盤における基礎杭の施工法は、杭孔の全長に亘ってコンクリート杭を埋設することから、上層が軟弱で下層が支持力を有する地盤に既製杭を埋設する場合は、拡底部での杭の支持力は得られたとしても、上層の地盤での横方向の荷重と変位にコンクリート杭の上部が耐えられないという問題が発生する。
【０００４】
本発明は、上記従来の支持地盤における基礎杭の施工法が有する問題点に鑑み、拡底部で杭の支持力を得るとともに、上層が軟弱で下層が支持力を有する地盤でも、上層の地盤での横方向の荷重と変位に耐え、しかも低コストで施工することができる支持地盤における基礎杭構造及び基礎杭の施工法を提供することを目的とする。
【０００５】
【課題を解決するための手段】
上記目的を達成するため、本発明の支持地盤における基礎杭構造は、拡底部を有する杭孔に既製杭を埋設する支持地盤における基礎杭構造において、拡底部に埋設される下部杭として既製の節付きコンクリート杭を配設するとともに、下部杭の上部に連結される中間杭として既製の円筒コンクリート杭を配設し、中間杭の上部に連結される上部杭として前記円筒コンクリート杭と略同径で、該円筒コンクリート杭より曲げ剛性の大きな既製円筒杭を配設したことを特徴とする。
【０００６】
また、同じ目的を達成するため、本発明の支持地盤における基礎杭の施工法は、拡底部を有する杭孔に既製杭を埋設する支持地盤における基礎杭の施工法において、拡底部に埋設される下部杭として既製の節付きコンクリート杭を配設するとともに、下部杭の上部に連結される中間杭として既製の円筒コンクリート杭を配設し、中間杭の上部に連結される上部杭として前記円筒コンクリート杭と略同径で、該円筒コンクリート杭より曲げ剛性の大きな既製円筒杭を配設することを特徴とする。
【０００７】
この支持地盤における基礎杭構造及び基礎杭の施工法は、拡底部に埋設される下部杭として既製の節付きコンクリート杭を配設することから、拡底部で杭の支持力を得るとともに、中間杭を介して連結される上部杭として、中間杭として配設する既製の円筒コンクリート杭と略同径で、該円筒コンクリート杭より曲げ剛性の大きな既製円筒杭を配設することから、上層が軟弱で下層が支持力を有する地盤でも、上層の地盤での横方向の荷重と変位に耐えることができ、さらに、下部杭の上部に連結される中間杭として既製の円筒コンクリート杭を配設することから、上層が軟弱で下層が支持力を有する地盤でも低コストで施工することができる。
【０００８】
この場合において、中間杭として下部の節付きコンクリート杭の軸部と略同径の既製の円筒コンクリート杭を配設するようにしたり、下部の節付きコンクリート杭の節部と略同径の既製の円筒コンクリート杭を配設するようにすることができる。
【０００９】
これにより、中間杭と下部の節付きコンクリート杭との接続を簡易に、かつ強固に行うことができる。
【００１０】
また、杭孔と杭の隙間に膨張・固化性を有するスラグを充填し、該スラグを膨張させながら固化させることができる。
【００１１】
これにより、スラグが膨張、固化することにより、スラグが既製杭を拘束することに加えて、杭孔周囲の地盤を締め固め、相対密度が増大し、これにより、孔壁からの側圧が増して既製杭がさらに拘束され、既製杭と杭孔が一体となって、その鉛直支持力と水平耐力を増強することができる。
【００１２】
また、拡底部の下部に根固め用スラグを投入し、該根固め用スラグの上に前記節付きコンクリート杭を建てることができる。
【００１３】
これにより、既製杭の下部の地盤を固め、基礎杭の鉛直支持力を一層高めることができる。
【００１４】
また、根固め用スラグとして、固化剤を添加した膨張・固化性を有するスラグを用いることができる。
【００１５】
これにより、既製杭の下部の地盤を固め、基礎杭の鉛直支持力をさらに高めることができる。
【００１６】
また、膨張・固化性を有するスラグとして、製鋼スラグ（転炉スラグ及び／又は電気炉スラグ（酸化スラグ及び／又は還元スラグ）をいい、ここでは、特に、エージング処理を行っていない製鋼スラグのほか、エージング処理を部分的に行うことにより膨張性を調整した製鋼スラグ等の膨張性を消失させていない製鋼スラグをいう。）、ゴミ焼却スラグ、汚泥スラグの１種若しくは２種以上の混合物を用いることができる。
さらに、膨張・固化性を有するスラグは、単独で用いるほか、これに、膨張性を消失した製鋼スラグ、高炉スラグ、フェロアロイスラグ、水砕スラグ、銅製錬スラグ、赤泥、フライアッシュ、ゴミ焼却灰、ガラス破砕物、廃石膏、コンクリート廃材等の産業廃棄物、石膏、生石灰、セメント、砕石、土砂、粘土等の建築用材料、人工材料、鉱物の１種若しくは２種以上を混合した、膨張性及び固化性を有するスラグの膨張性及び固化性を利用できるものを用いることができる。
【００１７】
これにより、膨張・固化性を有するスラグが吸水し、膨張、固化することによって、杭孔と杭の隙間が狭い場合等でも、杭孔と杭の隙間を、均一に空洞を形成することなく充填することができるとともに、深層部にも圧縮力を伝達することができ、杭の周囲の地盤を容易に、静的に、かつ確実に締め固めることができ、地盤の支持力を高め、これによって、杭の支持力を高めることができる。
また、産業廃棄物である製鋼スラグ等の有効利用を図ることができる。
【００１８】
また、杭孔の拡底部を、前記節付きコンクリート杭の略全長に亘る深さに掘削することができる。
【００１９】
これにより、杭の拘束力を増大し、既製杭の鉛直支持力と水平耐力を増強することができる。
【００２０】
また、中間杭が上載荷重を支持する必要耐力を有し、かつ上部杭よりも曲げ剛性が小さくなるようにすることができる。
【００２１】
これにより、上層の地盤で上部杭が受けた横方向の荷重を、この中間杭が撓むことによって吸収することができる。
【００２２】
【発明の実施の形態】
以下、本発明の支持地盤における基礎杭構造及び基礎杭の施工法の実施の形態を図面に基づいて説明する。
【００２３】
図１に、本発明の支持地盤における基礎杭構造及び基礎杭の施工法の一実施例を示す。
この基礎杭構造は、拡底部１１を有する杭孔１に既製杭２を埋設するもので、拡底部１１に埋設される下部杭２１として既製の節付きコンクリート杭を配設するとともに、下部杭２１の上部に連結される中間杭２２として前記節付きコンクリート杭の軸径と略同径の既製の円筒コンクリート杭を配設し、中間杭２２の上部に連結される上部杭２３として、中間杭２２として用いる円筒コンクリート杭と略同径で、この円筒コンクリート杭より曲げ剛性の大きな、鋼管杭、ＳＣ杭、ＰＲＣ杭等の複合杭等の既製円筒杭を配設している。
【００２４】
この場合、図１及び図２（ａ）に示すように、中間杭２２としては、下部の節付きコンクリート杭２１の軸部と略同径の既製の円筒コンクリート杭を用いるほか、図２（ｂ）及び（ｃ）に示すように、下部の節付きコンクリート杭２１の節部と略同径の既製の円筒コンクリート杭（ここで、下部杭２１と中間杭２２との接続は、図２（ｂ）に示すように、下部杭２１に、その上端部を節部と略同径の大径に形成した節付きコンクリート杭を用いたり、図２（ｃ）に示すように、テーパ形状の継手２４を用いるようにすることができる。）を配設するようにすることができる。また、図示しないが、中間杭２２と上部杭２３の接続は、図２（ｃ）と同様にして、上部杭２３の径を大径にすることができる。
これにより、中間杭２２と上部杭２３の軸径を大きくすることができ、水平耐力を増強することができる。
【００２５】
基礎杭の施工手順としては、まず、図１（ａ）に示すように、オーガーヘッド（図示省略）等により、上部構造物を支持できる地盤まで地盤を掘削し、図１（ｂ）に示すように、掘削した杭孔１の底部を拡径して拡底部１１を形成する。
次に、図１（ｃ）、（ｄ）に示すように、杭孔１の底部に既製杭２を建て、杭孔１と既製杭２の隙間に膨張・固化性を有するスラグ３を充填し、該スラグ３を膨張させながら固化させる。
これにより、スラグ３が膨張、固化することにより、杭孔１周囲の地盤を締め固め、相対密度が増大し、これにより、孔壁からの側圧が増して既製杭２が拘束され、既製杭２と杭孔１が一体となって、その鉛直支持力と水平耐力を増強することができる。
この場合、スラグ３は拡底部１１付近に充填し、後の杭孔１には、セメントミルク、ソイルセメント５等を充填するようにしたり、拡底部１１から杭孔の上部まですべてに充填することができる。
【００２６】
また、図３（ａ）に示すように、拡底部１１の下部に根固め用スラグ４を、杭径Ｄの１Ｄ〜３Ｄの層厚となるように投入し、該根固め用スラグ４の上に前記節付きコンクリート杭を建てることも可能であり、これにより、既製杭の下部の地盤を固め、基礎杭の鉛直支持力を一層高めることができるようにしたものである。
この場合、根固め用スラグ４として、セメント、石膏、水砕スラグ、還元スラグ等の固化剤を添加した膨張・固化性を有するスラグ（後述）を用いることができ、これにより、既製杭２の下部の地盤を固め、基礎杭の鉛直支持力をさらに高めることができる。
【００２７】
一方、スラグ３としては、膨張・固化性を有するスラグ、具体的には、製鋼スラグ（転炉スラグ及び／又は電気炉スラグ（酸化スラグ及び／又は還元スラグ）をいい、ここでは、特に、エージング処理を行っていない製鋼スラグのほか、エージング処理を部分的に行うことにより膨張性を調整した製鋼スラグ等の膨張性を消失させていない製鋼スラグをいう。）、ゴミ焼却スラグ、汚泥スラグの１種若しくは２種以上の混合物を用いることができる。
さらに、膨張・固化性を有するスラグは、単独で用いるほか、これに、膨張性を消失した製鋼スラグ、高炉スラグ、フェロアロイスラグ、水砕スラグ、銅製錬スラグ、赤泥、フライアッシュ、ゴミ焼却灰、ガラス破砕物、廃石膏、コンクリート廃材等の産業廃棄物、石膏、生石灰、セメント、砕石、土砂、粘土等の建築用材料、人工材料、鉱物の１種若しくは２種以上を混合した、膨張性及び固化性を有するスラグの膨張性及び固化性を利用できるものを用いることができる。
これにより、膨張・固化性を有するスラグが吸水し、膨張、固化することによって、杭孔と杭の隙間が狭い場合等でも、杭孔と杭の隙間を、均一に空洞を形成することなく充填することができるとともに、深層部にも圧縮力を伝達することができ、杭の周囲の地盤を容易に、静的に、かつ確実に締め固めることができ、地盤の支持力を高め、これによって、杭の支持力を高めることができる。
また、産業廃棄物である製鋼スラグ等の有効利用を図ることができる。
【００２８】
また、図３（ｂ）に示すように、杭孔１の拡底部１１を、下部杭２１である節付きコンクリート杭の略全長に亘る深さに掘削することができる。
これにより、既製杭２の拘束力を増大し、基礎杭の鉛直支持力と水平耐力を増強することができる。
【００２９】
また、図３（ｂ）に示すように、杭孔１の直径ＤＨを、上部杭２３の直径Ｄの２倍以上、より具体的には、２〜４倍（図３（ｂ）に示す実施例では、約３倍）とすることができる。
これにより、杭孔１と杭２の隙間に膨張・固化性を有するスラグを充填することによって、杭の周囲の地盤を容易に、静的に、かつ一層確実に締め固めることができ、地盤の支持力を高め、これによって、杭の支持力を高めることができる。
また、杭孔１の掘削長により、中間杭を必要本数継ぎ足すことができる。
【００３０】
また、中間杭２２は、上載荷重を支持する必要耐力を有し、かつ上部杭２３よりも曲げ剛性が小さくなるようにすることができる。
これにより、上層の地盤で上部杭２３が受けた横方向の荷重と変位を、この中間杭２２が撓むことによって吸収することができる。
【００３１】
かくして、この実施例の支持地盤における基礎杭構造及び基礎杭の施工法は、拡底部１１に埋設される下部杭２１として既製の節付きコンクリート杭を配設することから、拡底部１１で杭の支持力を得るとともに、中間杭２２を介して連結される上部杭２３として既製の円筒鋼管杭を配設することから、上層が軟弱で下層が支持力を有する地盤でも、上層の地盤での横方向の荷重と変位に耐えることができ、さらに、下部杭２１の上部に連結される中間杭２２として既製の円筒コンクリート杭を配設することから、上層が軟弱で下層が支持力を有する地盤でも低コストで施工することができる。
【００３２】
【実施例】
杭孔１と既製杭２の隙間に膨張・固化性を有するスラグ３を充填し、該スラグ３を膨張させながら固化させることによる杭の支持力（第２限界荷重：杭先端直径の１０％相当の杭先端沈下量が生じたときの荷重）の経時的な変化を、充填材として一般的に用いられるセメントミルクと比較するために行った現場規模実験の結果を、表１に示す。
なお、行った現場規模実験は、以下のとおりである。
【００３３】
［現場規模実験］
地盤：Ｎ値２〜１２、平均Ｎ値６の軟弱地盤
杭種：コンクリート節杭　φ４４０−３００　Ａ種　１１ｍ
杭Ｎｏ．▲１▼は、原地盤を掘削して杭を建て込み、杭孔と既製杭の隙間に膨張・固化性を有する製鋼スラグを充填した。
杭Ｎｏ．▲２▼は、原地盤を掘削して杭を建て込み、杭孔と既製杭の隙間にセメントミルクを注入して、ソイルセメント層を形成した。
【００３４】
【表１】
2004124452.tif 000003
【００３５】
表１に示すように、製鋼スラグを充填した杭Ｎｏ．▲１▼は、３ヶ月養生支持力／１ヶ月養生支持力（＝１．２７）及び第２限界荷重の値が共にソイルセメント層を形成した杭Ｎｏ．▲２▼のそれより大きな値を示しており、これにより、製鋼スラグが膨張、固化することによって、杭の支持力を高めることができることを確認した。
【００３６】
以上、本発明の支持地盤における基礎杭構造及び基礎杭の施工法を実施例に基づいて説明したが、本発明は、この実施例の記載に限定されるものではなく、その要旨を逸脱しない範囲において適宜に変更することが可能である。
【００３７】
【発明の効果】
本発明の支持地盤における基礎杭構造及び基礎杭の施工法によれば、拡底部に埋設される下部杭として既製の節付きコンクリート杭を配設することから、拡底部で杭の支持力を得るとともに、中間杭を介して連結される上部杭として、中間杭として配設する既製の円筒コンクリート杭と略同径で、該円筒コンクリート杭より曲げ剛性の大きな既製円筒杭を配設することから、上層が軟弱で下層が支持力を有する地盤でも、上層の地盤での横方向の荷重と変位に耐えることができ、さらに、下部杭の上部に連結される中間杭として既製の円筒コンクリート杭を配設することから、上層が軟弱で下層が支持力を有する地盤でも低コストで施工することができる。
【００３８】
また、中間杭として下部の節付きコンクリート杭の軸部と略同径の既製の円筒コンクリート杭を配設するようにしたり、下部の節付きコンクリート杭の節部と略同径の既製の円筒コンクリート杭を配設するようにすることにより、中間杭と下部の節付きコンクリート杭との接続を簡易に、かつ強固に行うことができる。
【００３９】
また、杭孔と杭の隙間に膨張・固化性を有するスラグを充填し、該スラグを膨張させながら固化させることにより、スラグが膨張、固化することにより、スラグが既製杭を拘束することに加えて、杭孔周囲の地盤を締め固め、相対密度が増大し、これにより、孔壁からの側圧が増して既製杭がさらに拘束され、既製杭と杭孔が一体となって、その鉛直支持力と水平耐力を増強することができる。
【００４０】
また、拡底部の下部に根固め用スラグを投入し、該根固め用スラグの上に前記節付きコンクリート杭を建てることにより、既製杭の下部の地盤を固め、基礎杭の鉛直支持力を一層高めることができる。
【００４１】
また、根固め用スラグとして、固化剤を添加した膨張・固化性を有するスラグを用いることにより、既製杭の下部の地盤を固め、基礎杭の鉛直支持力をさらに高めることができる。
【００４２】
また、膨張・固化性を有するスラグとして、製鋼スラグ（転炉スラグ及び／又は電気炉スラグ（酸化スラグ及び／又は還元スラグ）をいい、ここでは、特に、エージング処理を行っていない製鋼スラグのほか、エージング処理を部分的に行うことにより膨張性を調整した製鋼スラグ等の膨張性を消失させていない製鋼スラグをいう。）、ゴミ焼却スラグ、汚泥スラグの１種若しくは２種以上の混合物を用いるようにし、さらに、膨張・固化性を有するスラグは、単独で用いるほか、これに、膨張性を消失した製鋼スラグ、高炉スラグ、フェロアロイスラグ、水砕スラグ、銅製錬スラグ、赤泥、フライアッシュ、ゴミ焼却灰、ガラス破砕物、廃石膏、コンクリート廃材等の産業廃棄物、石膏、生石灰、セメント、砕石、土砂、粘土等の建築用材料、人工材料、鉱物の１種若しくは２種以上を混合した、膨張性及び固化性を有するスラグの膨張性及び固化性を利用できるものを用いることにより、膨張・固化性を有するスラグが吸水し、膨張、固化することによって、杭孔と杭の隙間が狭い場合等でも、杭孔と杭の隙間を、均一に空洞を形成することなく充填することができるとともに、深層部にも圧縮力を伝達することができ、杭の周囲の地盤を容易に、静的に、かつ確実に締め固めることができ、地盤の支持力を高め、これによって、杭の支持力を高めることができる。
また、産業廃棄物である製鋼スラグ等の有効利用を図ることができる。
【００４３】
また、杭孔の拡底部を、前記節付きコンクリート杭の略全長に亘る深さに掘削することにより、杭の拘束力を増大し、既製杭の鉛直支持力と水平耐力を増強することができる。
【００４４】
また、中間杭が上載荷重を支持する必要耐力を有し、かつ上部杭よりも曲げ剛性が小さくなるようにすることにより、上層の地盤で上部杭が受けた横方向の荷重を、この中間杭が撓むことによって吸収することができる。
【図面の簡単な説明】
【図１】本発明の支持地盤における基礎杭構造及び基礎杭の施工法の一実施例を示し、（ａ）は杭孔を示す断面図、（ｂ）は拡底部を掘削した杭孔を示す断面図、（ｃ）は杭孔に既製杭を建て、スラグを充填した状態を示す断面図、（ｄ）は杭孔にスラグを充填した状態のスラグの膨張特性を示す説明図である。
【図２】本発明の基礎杭構造を示し、（ａ）は中間杭の杭径を下部杭の軸径とほぼ等しくした実施例を示す断面図、（ｂ）、（ｃ）は中間杭の杭径を下部杭の節径とほぼ等しくした実施例を示す断面図である。
【図３】本発明の基礎杭構造を示し、（ａ）は拡底部の下部に根固め用スラグを投入するようにした実施例を示す断面図、（ｂ）は杭孔の拡底部を節付きコンクリート杭の略全長に亘る深さに掘削するようにした実施例を示す断面図である。
【符号の説明】
１　　杭孔
１１　拡底部
２　　既製杭
２１　下部杭
２２　中間杭
２３　上部杭
３　　スラグ
４　　根固め用スラグ
５　　セメントミルク
【図１】
2004124452.tif 000004
【図２】
2004124452.tif 000005
【図３】
2004124452.tif 000006